(57)【要約】【課題】無線ＬＡＮの通信システムに関し、組織の外部のユーザの端末が一時的に利用できる利便性と、その際のセキュリティの確保とを実現できる技術を提供する。【解決手段】本通信システムは、組織内のユーザが使用する第１の端末と、組織外のユーザが使用する第２の端末と、組織内の無線ＬＡＮアクセスポイント機能、及び表示機能を持つ通信装置と、を備える。第１の端末は、通信装置と無線ＬＡＮでの接続を行い、第２の端末は、第１の端末による許可に基づいて、通信装置と無線ＬＡＮでの接続を行い、第２の端末は、無線ＬＡＮでの接続を通じて、通信装置の表示機能を利用し、第１の端末と通信装置は、許可の継続または終了を確認し、通信装置は、許可の終了に基づいて、第２の端末との無線ＬＡＮでの接続を解除し、表示機能の利用ができない状態にする。【選択図】図１
2018102012.tif 000002
【特許請求の範囲】
【請求項１】
無線ＬＡＮ接続機能を持つ第１の通信端末装置と、
無線ＬＡＮ接続機能を持つ第２の通信端末装置と、
無線ＬＡＮ接続機能を持つ通信装置と、を備え、
前記第１の通信端末装置は、前記通信装置と無線ＬＡＮでの接続を行い、前記第２の通信端末装置は、前記第１の通信端末装置による許可に基づいて、前記通信装置との前記無線ＬＡＮでの接続を行い、前記通信装置は、前記第１の通信端末装置による許可の終了に基づいて、前記第２の通信端末装置との前記無線ＬＡＮでの接続を解除する、
通信システム。
【請求項２】
請求項１記載の通信システムにおいて、
前記許可の際、前記第１の通信端末装置は、前記第２の通信端末装置との近接通信により、前記第１の通信端末装置から前記第２の通信端末装置へ、前記無線ＬＡＮでの接続に必要な接続情報を送信し、
前記第２の通信端末装置は、前記接続情報を用いて、前記通信装置との前記無線ＬＡＮでの接続を行う、
通信システム。
【請求項３】
請求項１記載の通信システムにおいて、
前記通信装置は、前記第２の通信端末装置との接続の後、前記第１の通信端末装置へ、定期的に、前記許可の継続または終了に関する確認を行い、当該許可の継続の場合は、前記第２の通信端末装置との接続を継続し、当該許可の終了の場合は、前記第２の通信端末装置との接続を解除する、
通信システム。
【請求項４】
請求項１記載の通信システムにおいて、
前記第１の通信端末装置は、前記第２の通信端末装置との接続の後、定期的に、ユーザに対し、前記許可の継続または終了に関する確認を行い、当該許可の終了の場合は、前記通信装置へ、当該許可の終了の情報を送信し、
前記通信装置は、前記許可の終了の情報を受信した場合、前記第２の通信端末装置との接続を解除する、
通信システム。
【請求項５】
請求項１記載の通信システムにおいて、
前記第１の通信端末装置は、画面で、ユーザに対し、前記許可の継続または終了に関する確認の情報を表示し、前記ユーザの操作による前記許可の継続または終了に関する入力を受け、当該入力に応じた前記許可の継続または終了の情報を前記通信装置へ送信する、
通信システム。
【請求項６】
請求項１記載の通信システムにおいて、
前記通信装置は、前記第１の通信端末装置へ、前記許可の継続または終了に関する確認の情報を送信し、前記第１の通信端末装置は、前記確認の情報を受信した場合、前記通信装置へ、応答の情報を送信し、前記通信装置は、前記第１の通信端末装置から、前記応答の情報を受信した場合、前記許可の継続と判断し、前記応答の情報を受信できない場合、前記許可の終了と判断し、前記第２の通信端末装置との接続を解除する、
通信システム。
【請求項７】
請求項１記載の通信システムにおいて、
前記許可の際、前記第１の通信端末装置は、前記第２の通信端末装置との近接通信により、前記第１の通信端末装置から前記第２の通信端末装置へ、前記無線ＬＡＮでの接続に必要な接続情報を送信し、前記第２の通信端末装置から前記第１の通信端末装置へ、前記第２の通信端末装置のアドレス情報を送信し、前記第１の通信端末装置は、前記通信装置へ、前記第２の通信端末装置のアドレス情報を送信し、前記通信装置は、前記第２の通信端末装置のアドレス情報を許可リストに登録し、前記第２の通信端末装置は、前記接続情報を用いて、前記通信装置との前記無線ＬＡＮでの接続を行い、前記第１の通信端末装置は、前記許可の終了の場合、前記通信装置の前記許可リストにおける前記第２の通信端末装置のアドレス情報を削除させ、前記通信装置は、前記許可リストに前記第２の通信端末装置のアドレス情報が登録されていない場合、当該第２の通信端末装置との接続を解除する、
通信システム。
【請求項８】
請求項１記載の通信システムにおいて、
前記許可の際、前記第１の通信端末装置は、前記第２の通信端末装置との近接通信により、前記第１の通信端末装置から前記第２の通信端末装置へ、前記無線ＬＡＮでの接続に必要な接続情報を送信し、前記第２の通信端末装置から前記第１の通信端末装置へ、前記第２の通信端末装置のアドレス情報を送信し、前記第１の通信端末装置は、前記第２の通信端末装置のアドレス情報を許可リストに登録し、前記第２の通信端末装置は、前記接続情報を用いて、前記通信装置との前記無線ＬＡＮでの接続を行い、前記第１の通信端末装置は、前記許可の終了の場合、前記許可リストにおける前記第２の通信端末装置のアドレス情報を削除し、前記通信装置は、前記第１の通信端末装置へ確認の通信を行い、前記通信装置の前記許可リストに前記第２の通信端末装置のアドレス情報が登録されていない場合、当該第２の通信端末装置との接続を解除する、
通信システム。
【請求項９】
請求項１記載の通信システムにおいて、
前記第１の通信端末装置は、前記許可の場合、前記通信装置へ、ワンタイムパスワードを要求し、前記通信装置は、前記ワンタイムパスワードを応答し、前記第１の通信端末装置は、前記第２の通信端末装置との近接通信により、前記第１の通信端末装置から前記第２の通信端末装置へ、前記無線ＬＡＮでの接続に必要な前記ワンタイムパスワードを含む接続情報を送信し、前記第２の通信端末装置は、前記ワンタイムパスワードを含む前記接続情報を用いて、前記通信装置との前記無線ＬＡＮでの接続を行う、
通信システム。
【請求項１０】
請求項１記載の通信システムにおいて、
前記許可の際、前記第２の通信端末装置は、前記通信装置との近接通信により、前記通信装置から前記第２の通信端末装置へ、前記無線ＬＡＮでの接続に必要な接続情報を送信し、前記第２の通信端末装置から前記通信装置へ、当該第２の通信端末装置のアドレス情報を送信し、前記通信装置は、許可リストに、前記第２の通信端末装置のアドレス情報を登録し、前記第２の通信端末装置は、前記接続情報を用いて、前記通信装置との前記無線ＬＡＮでの接続を行い、前記第１の通信端末装置は、前記許可の終了の場合、前記通信装置の前記許可リストにおける前記第２の通信端末装置のアドレス情報を削除させ、前記通信装置は、前記許可リストに前記第２の通信端末装置のアドレス情報が登録されていない場合、当該第２の通信端末装置との接続を解除する、
通信システム。
【請求項１１】
請求項１記載の通信システムにおいて、
前記許可の際、前記第２の通信端末装置は、前記通信装置との近接通信により、前記第２の通信端末装置から前記通信装置へ、ワンタイムパスワードを要求し、前記通信装置から前記第２の通信端末装置へ、前記無線ＬＡＮでの接続に必要な前記ワンタイムパスワードを含む接続情報を送信し、前記第２の通信端末装置は、前記ワンタイムパスワードを含む前記接続情報を用いて、前記通信装置との前記無線ＬＡＮでの接続を行う、
通信システム。
【請求項１２】
請求項１記載の通信システムにおいて、
前記許可の際、前記第１の通信端末装置は、前記第２の通信端末装置との近接通信により、前記第１の通信端末装置から前記第２の通信端末装置へ、前記無線ＬＡＮでの接続に必要な接続情報を送信し、前記第２の通信端末装置は、前記接続情報を用いて、前記通信装置との前記無線ＬＡＮでの接続を行い、前記通信装置と前記第２の通信端末装置との接続の後、前記通信装置または前記第１の通信端末装置は、前記許可の継続または終了に関する確認の通信を行い、当該許可の継続の場合は、前記通信装置と前記第２の通信端末装置との接続を継続し、当該許可の終了の場合は、前記通信装置と前記第２の通信端末装置との接続を解除し、前記近接通信の際、前記第１の通信端末装置の表示画面に前記接続情報のバーコードを表示し、前記第２の通信端末装置のカメラにより前記バーコードを撮像して前記接続情報を読み取る、
通信システム。
【請求項１３】
無線ＬＡＮ接続機能を持つ第１の通信端末装置と、無線ＬＡＮ接続機能を持つ第２の通信端末装置と、無線ＬＡＮ接続機能を持つ通信装置と、を備える通信システムを構成する、前記通信装置であって、前記第１の通信端末装置は、前記通信装置との無線ＬＡＮでの接続を行い、前記第２の通信端末装置は、前記第１の通信端末装置による許可に基づいて、前記通信装置との前記無線ＬＡＮでの接続を行い、前記通信装置は、前記第１の通信端末装置による許可の終了に基づいて、前記第２の通信端末装置との前記無線ＬＡＮでの接続を解除する、
通信装置。
【発明の詳細な説明】
【技術分野】
【０００１】
本発明は、通信及び情報処理の技術に関する。また本発明は、無線ＬＡＮ及びプロジェクタ等の技術に関する。
【背景技術】
【０００２】
従来、企業等の組織における無線ＬＡＮの通信システムの例として、無線ＬＡＮのアクセスポイント機能を持つ通信装置に対して社内のユーザの端末が無線接続を行う通信システムがある。社内のユーザの端末は、アクセスポイント機能を持つ通信装置に無線接続を行い、通信装置が持つ所定の機能を利用する。
【０００３】
無線ＬＡＮの通信システムに関する先行技術例として、特開２００５−５１３１４号公報（特許文献１）が挙げられる。特許文献１には、ユーザのクライアント端末と無線ＬＡＮのアクセスポイントである通信装置とが無線接続する無線ＬＡＮシステムにおいて、クライアント端末がアクセスポイントに接続可能な時間が設定され、この時間制限の制御によりセキュリティを担保する旨が記載されている。
【先行技術文献】
【特許文献】
【０００４】
【特許文献１】特開２００５−５１３１４号公報
【発明の概要】
【発明が解決しようとする課題】
【０００５】
上記無線ＬＡＮの通信システムに関して、組織内のユーザの端末からアクセスポイント機能を持つ通信装置に接続して利用する場面だけでなく、組織の外部のユーザの端末から同じ通信装置に接続して利用する場面も想定される。例えば、会社での打ち合わせ等の際に、社内のユーザは、招いた社外のユーザに、一時的に、社内の無線ＬＡＮの通信システムを利用してもらう。即ち、社外のユーザの端末は、一時的に、アクセスポイント機能を持つ通信装置に接続し、所定の機能を利用する。
【０００６】
上記利用の場面に対応した機能を実現する無線ＬＡＮの通信システムは、利便性の点で価値がある。ただし、組織の外部のユーザの端末が、組織の内部の無線ＬＡＮの通信システムを、一時的な利用の後に単独で利用できてしまう可能性がある。即ち、上記無線ＬＡＮの通信システムは、利便性とセキュリティとのバランスの点で課題がある。
【０００７】
本発明の目的は、無線ＬＡＮの通信システム及びその通信装置等に関して、組織の外部のユーザの端末が一時的に利用できる利便性と、その際のセキュリティの確保とを実現できる技術を提供することである。
【課題を解決するための手段】
【０００８】
本発明のうち代表的な実施の形態は、通信システム等であって、以下に示す構成を有することを特徴とする。
【０００９】
一実施の形態の通信システムは、無線ＬＡＮ接続機能を持つ第１の通信端末装置と、無線ＬＡＮ接続機能を持つ第２の通信端末装置と、無線ＬＡＮアクセスポイント機能、及び表示機能を持つ通信装置と、を備え、前記第１の通信端末装置は、前記通信装置と無線ＬＡＮでの接続を行い、前記第２の通信端末装置は、前記第１の通信端末装置による許可に基づいて、前記通信装置との無線ＬＡＮでの接続を行い、当該接続を通じて前記通信装置の表示機能を利用し、前記第１の通信端末装置と前記通信装置は、前記第２の通信端末装置の前記通信装置への接続及び利用に関する許可の継続または終了の状況を確認する通信を行い、前記通信装置は、前記許可の終了に基づいて、前記第２の通信端末装置との無線ＬＡＮでの接続を解除し、前記表示機能の利用ができない状態にする。
【発明の効果】
【００１０】
本発明のうち代表的な実施の形態によれば、無線ＬＡＮの通信システム及びその通信装置等に関して、組織の外部のユーザの端末が一時的に利用できる利便性と、その際のセキュリティの確保とを実現できる。
【図面の簡単な説明】
【００１１】
【図１】本発明の一実施の形態の通信システムの構成を示す図である。
【図２】一実施の形態の通信システムにおける利用の概要を示す図である。
【図３】一実施の形態の通信装置であるプロジェクタの構成を示す図である。
【図４】一実施の形態の通信端末装置である第１の端末の構成を示す図である。
【図５】本発明の実施の形態１の通信システムの構成及び処理シーケンスを示す図である。
【図６】実施の形態１の第１の変形例の通信システムの構成及び処理シーケンスを示す図である。
【図７】実施の形態１の第２の変形例の通信システムの構成を示す図である。
【図８】本発明の実施の形態２の通信システムの構成及び処理シーケンスを示す図である。
【図９】実施の形態２の変形例の通信システムの構成及び処理シーケンスを示す図である。
【図１０】本発明の実施の形態３の通信システムの構成及び処理シーケンスを示す図である。
【図１１】本発明の実施の形態４の通信システムの構成及び処理シーケンスを示す図である。
【図１２】本発明の実施の形態５の通信システムの構成及び処理シーケンスを示す図である。
【図１３】本発明の実施の形態６の通信システムの構成及び処理シーケンスを示す図である。
【発明を実施するための形態】
【００１２】
以下、本発明の実施の形態を図面に基づいて詳細に説明する。なお実施の形態を説明するための全図において同一部には原則として同一符号を付しその繰り返しの説明は省略する。
【００１３】
本実施の形態の通信システムは、無線ＬＡＮのアクセスポイント機能を持つプロジェクタに対し、社内のユーザの端末による許可に基づいて、社外のユーザの端末を一時的に接続し、プロジェクタの表示機能を利用可能とする機能を提供する。
【００１４】
まず図１〜図４を用いて、各実施の形態で概略共通である構成について説明し、その後、各実施の形態の特徴について順に説明する。
【００１５】
［通信システム］
図１は、一実施の形態の通信システムの構成を示す。図１の通信システムは、無線ＬＡＮ４を含むシステムであり、通信装置であるプロジェクタ３と、第１の通信端末装置である端末１と、第２の通信端末装置である端末２と、を有する。プロジェクタ３と、端末１及び端末２とは、無線ＬＡＮ４で接続される。プロジェクタ３は、通信網５と接続される。プロジェクタ３と端末１とは、無線ＬＡＮによる接続４１が行われる。プロジェクタ３と端末２とは、無線ＬＡＮによる接続４２が行われる。端末１と端末２とは、近接通信による接続４３が行われる。
【００１６】
無線ＬＡＮ４は、所定の通信規格に基づいた無線ＬＡＮである。本実施の形態では、無線ＬＡＮ４の通信規格として、Ｗｉ−Ｆｉを適用するが、これに限らず適用可能である。Ｗｉ−Ｆｉ、即ちWireless Fidelityは、国際標準規格であるＩＥＥＥ８０２．１１を使用したデバイス間の相互接続が認められたことを示す名称である。無線ＬＡＮ４は、そのホットスポットを含めて図示している。ホットスポットは、無線ＬＡＮ４におけるアクセスポイントとなる通信装置であるプロジェクタ３の周りの無線接続可能な空間である。
【００１７】
無線ＬＡＮ４は、組織である会社Ａの内部に構築される無線ＬＡＮであり、無線ＬＡＮ４を構成する要素であるプロジェクタ３及びユーザＡの端末１は、会社Ａの管轄内である。ユーザＢの端末２は、会社Ａの管轄外である。図１では、無線ＬＡＮ４のホットスポット内に、会社Ａの内部のユーザＡの端末１と、会社Ａの外部の会社ＢのユーザＢの端末２とがいる場合を示している。
【００１８】
通信網５は、組織である会社Ａにおける有線による社内ＬＡＮ、及び当該社内ＬＡＮを通じて接続される外部のインターネット等を示す。
【００１９】
プロジェクタ３は、投写型表示装置と、無線ＬＡＮ４のアクセスポイントとなる通信装置とを兼ねる装置である。プロジェクタ３は、表示機能３１、無線ＬＡＮのアクセスポイント機能３２、及びルータ機能３３等を備える。
【００２０】
表示機能３１は、プロジェクタ３のスクリーンに動画像または静止画像を投写して表示する機能である。無線ＬＡＮのアクセスポイント機能３２は、Ｗｉ−Ｆｉの方式による無線ＬＡＮ４において通信端末装置との無線接続を行う機能である。ルータ機能３３は、通信網５との接続のルータ機能であり、レイヤ２及びレイヤ３のプロトコル処理機能を含む。
【００２１】
なおプロジェクタ３は、後述の実施の形態４等の場合、近接通信機能３４を備える。近接通信機能３４は、通信端末装置との近接通信を行う機能である。
【００２２】
会社Ａの内部の社員等のユーザＡは、端末１を所持及び使用する。なおユーザＡの他にも、会社Ａの他の社員等のユーザが同様に通信端末装置を使用して無線ＬＡＮ４に接続可能である。会社Ａの外部の例えば会社Ｂの社員等のユーザＢは、端末２を所持及び使用する。端末１及び端末２は、それぞれ、スマートフォン、タブレット端末、ノートＰＣ、等を含む各種の通信端末装置が適用可能である。
【００２３】
端末１は、無線ＬＡＮの接続機能１１、及び近接通信機能１２を備える。同様に、端末２は、無線ＬＡＮの接続機能２１、及び近接通信機能２２を備える。無線ＬＡＮの接続機能１１は、プロジェクタ３のアクセスポイント機能３２に対して、無線ＬＡＮ４におけるＷｉ−Ｆｉによる接続４１を行い、接続４１の状態でデータ通信等の無線通信を行う機能である。同様に、無線ＬＡＮの接続機能２１は、プロジェクタ３のアクセスポイント機能３２に対して、Ｗｉ−Ｆｉによる接続４２を行う機能である。
【００２４】
端末１の近接通信機能１２と、端末２の近接通信機能２２との間では、近接通信による接続４３が可能である。本実施の形態では、近接通信として、狭義のＮＦＣ、即ちNear Field Communicationを適用するが、これに限らず適用可能である。ＮＦＣは、非接触通信とも呼ばれ、規格としては、Felica（登録商標）、ISO/IEC 14443、ISO/IEC 18092等がある。また、近接通信は、Bluetooth（登録商標）等でもよく、これらの電波による通信の他に、赤外線や音声を用いた通信でもよい。
【００２５】
ユーザＡの端末１は、プロジェクタ３との接続４１の状態で、表示機能３１を利用することができる。即ち、ユーザＡは、例えば端末１に持つ資料等のデータを、接続４１を通じてプロジェクタ３へ送信し、プロジェクタ３の表示機能３１によりスクリーンへ表示させることができる。また本実施の形態では、社外のユーザＢの端末２は、社内のユーザＡの端末１による許可に基づいて、プロジェクタ３と接続４２を行い、プロジェクタ３の表示機能３１を一時的に利用することができる。即ち、ユーザＢは、例えば端末２に持つ資料等のデータを、接続４２を通じてプロジェクタ３へ送信し、プロジェクタ３の表示機能３１によりスクリーンへ表示させることができる。
【００２６】
また、ユーザＡの端末１は、プロジェクタ３との接続４１の状態で、ルータ機能３３を利用し、通信網５に接続できる。即ち、ユーザＡは、端末１から例えば社内ＬＡＮのサーバ、あるいはインターネットのサーバ等にアクセスし、データのダウンロードやアップロード等が可能である。
【００２７】
また本実施の形態では、社外のユーザＢの端末２は、社内のユーザＡの端末１による許可に基づいて、プロジェクタ３と接続４２を行い、プロジェクタ３のルータ機能３３を一時的に利用し、通信網５に接続することができる。即ち、ユーザＢは、端末２からインターネットのサーバ等にアクセスし、データのダウンロードやアップロード等が可能である。なお、セキュリティの観点から、一般的には、社外のユーザＢの端末２については、通信網５の社内ＬＡＮ等には接続できないようにファイアウォールサーバ等が設定される。
【００２８】
本実施の形態では、無線ＬＡＮ４を構成する通信装置として、投影型表示装置であるプロジェクタ３とし、社外のユーザＢの端末２が一時的に利用する機能を表示機能３１やルータ機能３３とする。これに限らず、他の実施の形態では、無線ＬＡＮ４を構成する通信装置として、非投影型の表示装置であるモニタ装置やテレビジョン装置としてもよいし、表示機能３１ではなく他の機能を提供する装置としてもよい。上記プロジェクタ３を他の装置とし、表示機能３１を他の機能とした場合、本実施の形態の通信システムは、許可の対象とする所定の機能として、他の装置の他の機能を含む。表示機能３１は、液晶パネルによるディスプレイの画面に動画像または静止画像を表示する表示機能でもよい。他の機能は、電波により放送を受信して表示する機能でもよい。
【００２９】
なお、他の実施の形態として、プロジェクタ３のルータ機能１３を省略した形態、即ちプロジェクタ３と通信網５とが接続しない形態としてもよい。ユーザＢの端末２によるルータ機能３３の利用に関しては、本実施の形態の設定機能に応じて、ユーザＡの端末１による許可に基づいて利用可能としてもよいし、不許可により利用不可能としてもよい。
【００３０】
また、上記構成においては、端末１とプロジェクタ３との接続４１を、無線による接続とした例を示しているが、有線による接続でもよい。
【００３１】
［利用の概要］
図２を用いて、一実施の形態の通信システムに関する利用場面を含む利用の概要について説明する。図２は、一実施の形態の通信システムにおける利用の概要を時間軸で示す。利用場面の例として、会社Ａの建物内に、図１のように無線ＬＡＮ４のアクセスポイントであるプロジェクタ３が配置されている。会社Ａの建物内のプロジェクタ３が配置された無線ＬＡＮ４のホットスポットの場所で、会社ＡのユーザＡと、招かれた会社ＢのユーザＢとが、打ち合わせを行う。
【００３２】
まず前提として、ユーザＡは、２１１〜２１３に示すように、自分の端末１をプロジェクタ３に無線接続してプロジェクタ３の表示機能３１等を利用する。２１１は、ユーザＡの端末１の接続機能１１と、プロジェクタ３のアクセスポイント機能３２とで、無線ＬＡＮ４の接続４１を行う手順を示す。２１２は、接続４１の状態で、端末１からプロジェクタ３の表示機能３１を利用する手順及び時間を示す。２１３は、ユーザＡの端末１の接続機能１１と、プロジェクタ３のアクセスポイント機能３２とで、無線ＬＡＮ４の接続４１を解除する手順を示す。
【００３３】
２０１は、ユーザＡの端末１によるユーザＢの端末２のプロジェクタ３への接続及び利用に関する許可を示す。ユーザＡは、打ち合わせの開始時、２１１に示す手順の時等、ユーザＡの端末１とユーザＢの端末２とが近くにいてユーザＡがユーザＢの存在を把握している状況を条件として、２０１に示す許可を与える。許可の具体的な動作や処理については各実施の形態で説明する。
【００３４】
ユーザＢは、２０１に示す許可に基づいて、２２１〜２２３に示すように、端末２をプロジェクタ３に無線接続してプロジェクタ３の表示機能３１等を利用する。２２１は、ユーザＢの端末２の接続機能２１と、プロジェクタ３のアクセスポイント機能３２とで、無線ＬＡＮ４の接続４２を行う手順を示す。２２２は、接続４２の状態で、端末２からプロジェクタ３の表示機能３１を利用する手順及び時間を示す。２２３は、ユーザＢの端末２の接続機能２１と、プロジェクタ３のアクセスポイント機能３２とで、無線ＬＡＮ４の接続４２を解除する手順を示す。
【００３５】
２０２は、ユーザＡの端末１によるユーザＢの端末２のプロジェクタ３への接続及び利用に関する許可の終了を示す。ユーザＡは、打ち合わせの終了時、２１３に示す手順の時等、ユーザＡの端末１とプロジェクタ３との接続４１が解除されたことを条件として、２０２に示す許可の終了を行う。許可の終了により、２２３に示すように、ユーザＢの端末２とプロジェクタ３との接続４２が解除される。その後、ユーザＢの端末２は、単独では、許可が無いため、２２１，２２２のようなプロジェクタ３との接続及び利用はできない。
【００３６】
なお図２では、ユーザＡの端末１が先行してプロジェクタ３の表示機能３１を利用し、続いてユーザＢの端末２がユーザＡの端末１と時間的に並列でプロジェクタ３の表示機能３１を利用する例を示す。これに限らず、例えばユーザＡの端末１による２１１〜２１２の手順が先に終了し、その次に、ユーザＢの端末２による２２１〜２２３の手順が行われてもよい。このとき、ユーザＡの端末１は、表示機能３１の利用は停止しているが、プロジェクタ３との接続４１は継続している状態となる。
【００３７】
また、図２では、ユーザＡの端末１とプロジェクタ３との接続４１が解除されたことを条件として、許可の終了２０２を行っているが、接続４１は継続したまま、ユーザＡの操作等により許可の終了２０２を行い、端末２とプロジェクタ３との接続４２を解除させてもよい。
【００３８】
［通信装置］
図３は、一実施の形態の通信装置であるプロジェクタ３の構成を示す。図３のプロジェクタ３は、液晶プロジェクタ等の投写型映像表示装置である。プロジェクタ３は、持ち運び可能な小型化された装置でもよいし、据え置き型の装置でもよい。プロジェクタ３は、表示制御のために自身に制御機能を備える独立型のプロジェクタの場合であるが、制御機能を備える外部の装置との接続で構成されるシステム型のプロジェクタでもよい。後者の型の場合、プロジェクタ３は、外部のＰＣ等の装置と接続され、外部の装置からのコマンド等を受信し、当該コマンド等に従い、表示制御が行われる。
【００３９】
プロジェクタ３は、ＣＰＵ３０１、ＲＡＭ３０２、ＲＯＭ３０３、二次記憶装置３０４、入出力インタフェース部３０５、入力デバイス３０６、出力デバイス３０７、電源部３０８、映像処理部３１１、光学系及び駆動系３１２、無線部３２０、有線ＬＡＮインタフェース部３３０、及びＮＦＣ通信部３４０等がバスで接続された構成を有する。
【００４０】
ＣＰＵ３０１は、表示機能３１及びアクセスポイント機能３２等の制御を含め、プロジェクタ３の全体を制御する処理を行う制御部である。ＲＡＭ３０２は、処理データ等を格納するメモリである。ＲＯＭ３０３は、制御プログラムであるアプリ３５や設定情報３６等を格納するメモリである。ＣＰＵ３０１は、ＲＯＭ３０３から制御プログラムをＲＡＭ３０２へロードして実行することにより、各処理を実現する。
【００４１】
アプリ３５は、本実施の形態のプロジェクタ３の特有の機能を実現する処理を行う。ＣＰＵ３０１は、アプリ３５のソフトウェア処理を行う。設定情報３６は、本実施の形態のプロジェクタ３の特有の機能を実現するためのデータや情報が設定される。アプリ３５や設定情報３６は、二次記憶装置３０４や無線部３２０内のメモリ等に格納されてもよい。
【００４２】
二次記憶装置３０４は、メモリカード、ディスク等であり、映像データ等が格納される。入出力インタフェース部３０５は、各種の入力デバイス３０６及び出力デバイス３０７を接続し、入出力インタフェース処理を行う。電源部３０８は、プロジェクタ３の各部へ電力を供給する。電源部３０８は、ユーザの操作に応じて電源をオンまたはオフする。
【００４３】
プロジェクタ３は、表示機能３１により、表示対象データを投写用の映像信号へ変換し、映像信号に基づいてスクリーン３１３へ映像を投写して表示する。表示機能３１の主な構成要素として、制御部３０１の他には、映像処理部３１１、光学系及び駆動系３１２を含む。映像処理部３１１は、無線部３２０等から選択して表示対象データを読み出し、スクリーン３１３への投写用の映像信号へ変換する処理等を行う。
【００４４】
光学系及び駆動系３１２は、ランプ、液晶パネルデバイス、投写レンズや反射ミラー等を含む各種の光学部品やその駆動回路等を含み、投写用の映像信号に従い、光学系の駆動が制御される。これにより光学系及び駆動系３１２は、映像信号に対応した光を発し、投写レンズからスクリーン３１３へ投写することにより、映像を表示する。
【００４５】
プロジェクタ３は、無線ＬＡＮのアクセスポイント機能３２により、アクセスポイントとして、通信端末装置との無線伝送方式による直接接続が可能である。プロジェクタ３は、アクセスポイント機能３２の構成要素として、無線部３２０を有する。無線部３２０は、Ｗｉ−Ｆｉの方式に対応した無線ＬＡＮインタフェース部であり、無線信号の送受信処理等を行うＬＳＩ等によるモジュールである。無線部３２０は、端末１や端末２からの無線信号に含まれるデータ信号を、Ｗｉ−Ｆｉの方式によって受信可能である。
【００４６】
無線部３２０は、アンテナ３２１、ＲＦチップ３２２、ＡＰチップ３２３、及びメモリ３２４等を含む。ＲＦチップ３２２は、アンテナ３２１を通じて、無線信号の変調及び復調を含む受信及び送信の処理を行う。ＡＰチップ３２３は、無線信号やデータに対する特定の応用処理を行い、メモリ３２４に情報を読み書きする。無線部３２０は、受信した無線信号のデータを、バッファメモリに格納する。バッファメモリは、ＡＰチップ３２３内のメモリでもよいし、ＡＰチップ３２３外のメモリ３２４でもよい。制御部であるＣＰＵ３０１や、映像処理部３１１は、無線部３２０のバッファメモリから、無線信号のデータを選択して読み出すことができる。
【００４７】
メモリ３２４は、例えば、Ｗｉ−Ｆｉの方式における無線接続に必要な情報として、ＳＳＩＤやパスワード等の接続情報が格納される。パスワードをＰＷで示す。
【００４８】
アクセスポイント機能３２を用いた、通信端末装置とプロジェクタ３との無線接続の際、無線部３２０は、通信端末装置からのＳＳＩＤ及びパスワードを含む接続情報を受信する。無線部３２０は、受信した接続情報が、例えばメモリ３２４に保持しているＳＳＩＤ及びパスワードを含む接続情報と合致する場合、当該通信端末装置の接続を行い、合致しない場合、当該接続を行わない。
【００４９】
プロジェクタ３は、ルータ機能３３の構成要素として、有線ＬＡＮインタフェース部３３０を含む。有線ＬＡＮインタフェース部３３０は、ポートやプロセッサを含み、レイヤ２及びレイヤ３のプロトコル処理等を行い、通信網５に接続し、通信網５の装置に対するデータの送信や通信網５の装置からのデータの受信を行う。
【００５０】
プロジェクタ３は、近接通信機能３４を備える形態の場合の構成要素として、ＮＦＣ通信部３４０を有する。ＮＦＣ通信部３４０は、ＮＦＣに対応した通信インタフェース部であり、アンテナコイル３４１、ＲＦ回路３４２、処理回路３４３、及びメモリ３４４等を含む。ＲＦ回路３４２は、アンテナコイル３４１を介して、ＮＦＣによる近接通信の信号を送受信する。処理回路３４３は、送受信する信号に対する特定の処理を行う。処理回路３４３は、処理回路３４３内のメモリや、処理回路３４３外のメモリ３４４にデータや情報を読み書きする。
【００５１】
プロジェクタ３は、図示しないが、ユーザインタフェースとして操作パネルやリモコンを備えてもよい。操作パネルやリモコンには、各種のボタンや表示部を設ける。表示部には情報を表示する。ユーザは、操作パネルやリモコンのボタンで、電源のオン及びオフや、表示の動作の指示、機能の設定、等ができる。
【００５２】
プロジェクタ３は、図示しないが、ＣＰＵ３０１等の処理に基づいて提供される設定機能を提供してもよい。設定機能は、設定画面をスクリーン３１３あるいは操作パネルの表示部等に表示する。ユーザは、設定画面を見て、プロジェクタ３へ指示の信号を入力することにより、プロジェクタ３の機能の設定等が可能である。
【００５３】
プロジェクタ３は、表示機能３１により、複数の通信端末装置と同時に接続した状態で表示を行う場合、ユーザ操作に基づいて、選択された通信端末装置からの表示データを切り替えながらスクリーン３１３に表示することもできる。また、プロジェクタ３は、複数の通信端末装置からの表示データをスクリーン３１３に並列で表示し、選択されたものを拡大して表示すること等もできる。
【００５４】
他の実施の形態として、通信端末装置からプロジェクタ３に対して表示の動作の制御や設定を行う形態としてもよい。即ち、端末１をプロジェクタ３のリモコンに相当する機能を持つ装置として使用してもよい。例えば端末１からプロジェクタ３へ、接続４１の状態で、表示の動作の制御や設定のコマンド等の信号を送信する。プロジェクタ３は、受信したコマンド等の信号に従い、表示機能３１による表示の動作の制御等を行う。表示の動作は、例えば映像の開始や停止等が挙げられる。
【００５５】
［通信端末装置］
図４は、一実施の形態の通信端末装置である端末１の構成を示す。なお端末２の構成も端末１の構成と基本的には同様であるが、本実施の形態の通信システムでの役割の違いに応じて異なる構成要素を持つ。例えば後述の図５のように、端末１は、専用のアプリ１５を備えるが、端末２は、専用のアプリ１５を備えなくてもよい。
【００５６】
端末１は、ＣＰＵ４０１、ＲＡＭ４０２、ＲＯＭ４０３、二次記憶装置４０４、入出力インタフェース部４０５、入力デバイス４０６、出力デバイス４０７、電源部４０８、無線部４１０、ＮＦＣ通信部４２０、電話網通信部４３０、タッチパネル４４０、及びセンサ部４５０等がバスで接続された構成を有する。
【００５７】
ＣＰＵ４０１は、接続機能１１及び近接通信機能１２等の制御を含め、端末１の全体を制御する処理を行う制御部である。ＲＡＭ４０２は、処理データ等を格納するメモリである。ＲＯＭ４０３は、制御プログラムであるアプリ１５や設定情報１６等を格納するメモリである。ＣＰＵ４０１は、ＲＯＭ４０３から制御プログラムをＲＡＭ４０２へロードして実行することにより、各機能の処理を実現する。
【００５８】
アプリ１５は、本実施の形態の端末１の特有の機能を実現する処理を行う。ＣＰＵ４０１は、アプリ１５のソフトウェア処理を行う。設定情報１６は、本実施の形態の端末１の特有の機能を実現するためのデータや情報が設定される。設定情報１６は、二次記憶装置４０４や、無線ＬＡＮ通信部４１０内のメモリに格納されてもよい。
【００５９】
二次記憶装置１０４は、例えばメモリカード等である。入出力インタフェース部４０５は、各種の入力デバイス４０６及び出力デバイス４０７を接続し、入出力インタフェース処理を行う。電源部４０８は、端末１の各部へ電力を供給する。電源部４０８は、ユーザの操作に応じて電源をオンまたはオフする。
【００６０】
端末１は、接続機能１１の構成要素として、無線部４１０を有する。無線部４１０は、Ｗｉ−Ｆｉの方式に対応した無線ＬＡＮインタフェース部であり、無線信号の送受信処理等を行うＬＳＩ等によるモジュールである。無線部４１０は、プロジェクタ３のアクセスポイント機能３２からの無線信号に含まれるデータ信号を、Ｗｉ−Ｆｉの方式によって受信可能である。
【００６１】
無線部４１０は、アンテナ４１１、ＲＦチップ４１２、ＡＰチップ４１３、及びメモリ４１４等を含む。ＲＦチップ４１２は、アンテナ４１１を通じて、無線信号の変調及び復調を含む受信及び送信を行う。ＡＰチップ４１３は、無線信号やデータに対する特定の応用処理を行い、メモリ４１４に情報を読み書きする。無線部４１０は、受信した無線信号のデータを、バッファメモリに格納する。バッファメモリは、ＡＰチップ４１３内のメモリでもよいし、ＡＰチップ４１３外のメモリ４１４でもよい。制御部であるＣＰＵ４０１等は、無線部４１０のバッファメモリから、無線信号のデータを選択して読み出すことができる。
【００６２】
メモリ４１４は、例えば、Ｗｉ−Ｆｉの方式における無線接続に必要な情報として、ＳＳＩＤやパスワード等の情報が格納される。
【００６３】
端末１は、接続機能１１を用いてプロジェクタ３との接続４１を行う際には、無線部４１０により、プロジェクタ３に対し、メモリ４１４に保持されているＳＳＩＤ及びパスワードを含む接続情報を読み出して送信する。
【００６４】
端末１は、近接通信機能１２の構成要素として、ＮＦＣ通信部４２０を有する。ＮＦＣ通信部４２０は、ＮＦＣに対応した通信インタフェース部であり、アンテナコイル４２１、ＲＦ回路４２２、処理回路４２３、及びメモリ４２４等を含む。ＲＦ回路４２２は、アンテナコイル４２１を介して、ＮＦＣによる近接通信の信号を送受信する。処理回路４２３は、送受信する信号に対する特定の処理を行う。処理回路４２３は、処理回路４２３内のメモリや、処理回路４２３外のメモリ４２４にデータや情報を読み書きする。
【００６５】
ＮＦＣは、１０ｃｍ程度の通信距離で、非接触でデータ通信が可能である。ＮＦＣによる近接通信の際には、例えば、一方の装置のＮＦＣ通信部のインタフェース部を、他方の装置のＮＦＣ通信部のインタフェース部にかざす、またはタッチする等により、所定の通信距離内に近付ける。これにより、両者の装置のＮＦＣ通信部のアンテナコイルの電磁結合がされ、両者の装置のＮＦＣ通信部間でデータが送受信される。
【００６６】
端末１は、スマートフォン等である場合、電話網通信部４３０を備え、電話網通信部４３０を用いて、公知の電話網に対する通信処理を行い、音声通話等を可能とする。端末１は、スマートフォン等である場合、タッチパネル４４０を備える。タッチパネル４４０は、画面に情報を表示すると共に、画面でのタッチ入力操作を受け付ける。端末１は、スマートフォン等である場合、センサ部４５０を備える。センサ部４５０は、各種のセンサとして、例えば加速度センサ、ジャイロセンサ、ＧＰＳセンサ等を含む。
【００６７】
また、端末１にスリープ機能を備える場合、スリープ機能により、例えば、タッチパネル４４０の表示の一時的なオフや、無線ＬＡＮ通信部４１０の処理の一時的な休止等が行われ、これにより消費電力が低減される。
【００６８】
［Ｗｉ−Ｆｉによる接続］
無線ＬＡＮ４に関するＷｉ−Ｆｉによる接続の方式について補足説明する。一般的なＷｉ−Ｆｉの場合、通信端末装置とアクセスポイントとの間のＷｉ−Ｆｉによる接続の際には、アクセスポイントのＳＳＩＤ及びパスワードの情報が要求される。通信端末装置は、その場で利用可能なＳＳＩＤの情報を収集し、候補として画面に表示する。通信端末装置のユーザは、画面に表示された候補の情報の中から、利用するアクセスポイントに対応したＳＳＩＤの情報を選択し、当該ＳＳＩＤに関係付けられたパスワードを入力する。通信端末装置は、ＳＳＩＤ及びパスワードの情報をアクセスポイントへ送信する。アクセスポイントは、受信したＳＳＩＤ及びパスワードの情報を確認し、自身のＳＳＩＤ及びパスワードと合致する正しい情報である場合は、当該通信端末装置の接続を許可し、接続を確立する。なお、端末１は、パスワードをメモリ４１４あるいは二次記憶装置４０４に保存しておき、ここからパスワードを読み出し、接続処理を行ってもよい。
【００６９】
ＳＳＩＤは、Service Set IDであり、アクセスポイント及びその無線ＬＡＮに関する識別子である。パスワードは、当該アクセスポイントへの接続に必要とされる特定のパスワードである。なおパスワードが要求されない無線ＬＡＮもある。
【００７０】
例えば会社ＡのユーザＡの端末１は、会社Ａの無線ＬＡＮ４の通信システムにおけるアクセスポイントとなるプロジェクタ３への接続が許可される設定であり、ユーザＡには、あらかじめ上記ＳＳＩＤ及びパスワードが与えられている。また、会社ＢのユーザＢには、上記ＳＳＩＤ及びパスワードが与えられていないため、端末２は、会社Ａの無線ＬＡＮ４の通信システムにおけるアクセスポイントへの接続ができない。
【００７１】
（実施の形態１）
図５を用いて、実施の形態１の通信システム、通信装置、及び通信端末装置について説明する。図５では、図１と同様に、無線ＬＡＮ４のプロジェクタ３の付近のホットスポット内に、ユーザＡの端末１と、ユーザＢの端末２とがいる状態を示す。実施の形態１で、ユーザＡの端末１は、アプリ１５を備えるが、ユーザＢの端末２は、アプリ１５を備えない。即ち、端末２としては、既存の通信端末装置が適用可能である。プロジェクタ３は、アプリ３５を備える。端末１とプロジェクタ３との間のＷｉ−Ｆｉによる接続４１、及び端末２とプロジェクタ３との間のＷｉ−Ｆｉによる接続４２においては、ＳＳＩＤ及びパスワードを含む接続情報が要求される。
【００７２】
［処理シーケンス］
図５は、実施の形態１の通信システムにおける構成及び処理シーケンスを示す。Ｓ１１等は処理や動作等のステップを示す。
【００７３】
（Ｓ１１）  Ｓ１１で、無線ＬＡＮ４のホットスポット内において、ユーザＡの端末１は、プロジェクタ３との接続４１を行う。端末１の接続機能１１と、プロジェクタ３のアクセスポイント機能３２との間では、接続４１を確立する処理が行われる。Ｓ１１の際、ユーザＡは、あらかじめ取得していた当該プロジェクタ３との接続４１に関するＳＳＩＤ及びＰＷで示すパスワードを含む接続情報を端末１において操作等により入力する必要がある。端末１は、入力された接続情報を端末１内のメモリに格納して保持することにより、次回より、Ｓ１１における接続情報の入力は省略可能である。
【００７４】
（Ｓ１２）  Ｓ１２で、ユーザＡは、端末１のアプリ１５を起動する。なおＳ１１の際に端末１のアプリ１５が起動されてもよい。端末１のアプリ１５の起動後は、実施の形態１の通信システムの特有の制御等の仕組みが自動的に働く。
【００７５】
端末１のアプリ１５の起動の状態で、ユーザＡは、ユーザＢの端末２によるプロジェクタ３への接続及び利用を許可する場合、ユーザＢの端末２とのＮＦＣによる近接通信による接続４３を行う。ユーザＡは、前述のように、端末１のＮＦＣ通信部４２０のインタフェース部と、ユーザＢの端末２のＮＦＣ通信部４２０のインタフェース部とを近付ける。端末１の近接通信機能１２と、端末２の近接通信機能２２との間で、ＮＦＣの接続４３の処理が行われる。
【００７６】
実施の形態１では、Ｓ１２の端末１と端末２とのＮＦＣの近接通信の動作が、ユーザＡの端末１によるユーザＢの端末２のプロジェクタ３への接続及び利用に関する許可に相当する。
【００７７】
（Ｓ１３）  Ｓ１３で、端末１は、Ｓ１２の接続４３の状態で、端末２へ、プロジェクタ３と接続するためのＳＳＩＤ及びＰＷを含む接続情報を送信する。端末２は、近接通信機能１２の処理を通じて、この接続情報を受け取り、端末２内のメモリに保持する。
【００７８】
（Ｓ１４）  Ｓ１４で、端末２は、Ｓ１３の接続情報を用いて、プロジェクタ３とのＷｉ−Ｆｉによる接続４２を行う。端末２の接続機能２１と、プロジェクタ３のアクセスポイント機能３２との間では、接続４２を確立する処理が行われる。Ｓ１４の際、端末２は、ＳＳＩＤ及びＰＷを含む接続情報をプロジェクタ３へ送信する。プロジェクタ３は、受信した接続情報が、自身の接続情報と合致する場合、端末２による接続４２を許可する。
【００７９】
（Ｓ１５）  Ｓ１５で、ユーザＢは、接続４２の状態で、端末２からプロジェクタ３の表示機能３１を利用する。表示機能３１の利用の際には、端末２の接続機能２１とプロジェクタ３のアクセスポイント機能３２との間で、接続４２を通じて、データが伝送される。例えばユーザＢは、端末２内の資料等のデータや、表示の指示等を、接続４２を通じて、プロジェクタ３へ送信する。プロジェクタ３は、端末２から受信したデータ及び指示に従い、表示機能３１により、データをスクリーン３１３へ表示させる。
【００８０】
（Ｓ１６）  Ｓ１６で、プロジェクタ３のアプリ３５は、接続４１を通じて、端末１に対し、定期的に、確認の通信を行う。この確認は、ユーザＡの端末１によるユーザＢの端末２のプロジェクタ３への接続及び利用に関する許可について継続及び更新するか終了するかに関する確認である。言い換えると、この確認は、ユーザＢの端末２のプロジェクタ３への接続４２について継続するか解除するかに関する確認である。
【００８１】
Ｓ１６の定期確認の通信は、一定時間間隔で行われる。一定時間間隔は、例えば５分、１０分、２０分等、予め設定され、後述の設定機能による設定も可能である。なおＳ１６の最初の定期確認の通信は、Ｓ１４の接続４２の確立の時点としてもよいし、Ｓ１４の接続４２の確立の時点から一定時間経過後としてもよい。
【００８２】
実施の形態１では、Ｓ１６の確認に関する方式として、プロジェクタ３から端末１へ確認を行う方式である。プロジェクタ３は端末１へ確認の要求の情報を送信し、端末１はプロジェクタ３へ確認の応答の情報を送信する。端末１は、許可の継続の場合はその旨の応答を送信し、許可の終了の場合はその旨の応答を送信する。
【００８３】
（Ｓ１７）  プロジェクタ３は、Ｓ１６の確認の結果に従い、端末１からの応答が、許可の継続である場合は、端末２との接続４２の状態を継続する。プロジェクタ３は、Ｓ１６の確認の結果に従い、端末１からの応答が、許可の終了である場合は、端末２との接続４２を解除する。これにより、ユーザＢの端末２は、プロジェクタ３への接続及び表示機能３１の利用ができない状態になる。
【００８４】
上記のように、実施の形態１は、ユーザＡによる許可に基づいて、端末１を介して接続情報を端末２へ提供する。実施の形態１は、上記処理シーケンスにより、図２のような利用が実現される。なおＳ１７でユーザＢの端末２の接続を解除した後、再度、ユーザＡの端末１によるユーザＢの端末２のプロジェクタ３への接続及び利用に関する許可を与える場合、Ｓ１１またはＳ１２から同様に繰り返せばよい。
【００８５】
また、ユーザＡは、実施の形態１の制御が働く状態を終了させる場合、端末１のアプリ１５を終了させる。また、ユーザＡの端末１とプロジェクタ３との接続４１を解除した時点で、自動的にユーザＢの端末２に関する許可の終了とし、端末２とプロジェクタ３との接続４２を解除するようにしてもよい。
【００８６】
［第１の確認の方式］
実施の形態１では、Ｓ１６の確認に関する方式として、以下の第１の確認の方式を適用する。第１の確認の方式において、Ｓ１６の確認の際、プロジェクタ３のアプリ３５からの確認の要求の情報に基づいて、端末１は、アプリ１５の処理により、例えばタッチパネル４４０の画面に、確認用の情報を表示する。確認用の情報は、例えばポップアップのダイアログ等により、「ユーザＢの端末２によるプロジェクタ３への接続及び利用の許可を継続しますか？  はい／いいえ」等の旨のメッセージを表示する。ユーザＡは、端末１に表示された確認用の情報を見て、ユーザＢの端末２によるプロジェクタ３への接続及び利用の許可の状態を継続するか終了するか等を判断して選択する操作を行う。ユーザＡは、例えばタッチパネル４４０の画面の確認用の情報における「はい」または「いいえ」のボタンを押す。
【００８７】
ユーザＡによる端末１での選択の操作に応じて、端末１からプロジェクタ３へ、選択に応じた確認の応答の情報が送信される。プロジェクタ３は、応答の情報が、例えば「はい」即ち許可の継続の選択の場合、Ｓ１７で端末２との接続４２を継続し、「いいえ」即ち許可の終了の選択の場合、Ｓ１７で端末２との接続４２を解除する。なお、ユーザＡにおける端末１での選択操作が行われず、端末１からプロジェクタ３への応答がない状態が所定時間以上継続した場合は、プロジェクタ３は端末２との接続４２を解除するようにしてもよい。
【００８８】
［第２の確認の方式］
実施の形態１の変形例として、Ｓ１６の確認に関する方式として、以下の第２の確認の方式を適用してもよい。第２の確認の方式において、Ｓ１６の確認の際、プロジェクタ３のアプリ３５は、端末１に対し、Ｓ１１の接続４１の状態を前提として、所定の確認用の情報を送信する。端末１のアプリ１５は、プロジェクタ３から、所定の確認用の情報を受信した場合、自動的に、所定の確認用の応答の情報を送信する。この際、ユーザＡは、操作が不要であり、意識する必要が無い。
【００８９】
プロジェクタ３のアプリ３５は、上記端末１からの所定の確認用の応答の情報を受信できた場合、端末１及びアプリ１５が起動状態であり無線ＬＡＮ４のホットスポット内にいて接続４１が継続されていること、等が確認できる。即ち、プロジェクタ３は、ユーザＡの端末１とユーザＢの端末２とが近くにいる状況等が確認できる。よって、プロジェクタ３は、当該確認をもって、ユーザＡの端末１によるユーザＢの端末２の許可の継続とみなし、Ｓ１７で端末２との接続４２を継続する。
【００９０】
プロジェクタ３のアプリ３５は、上記端末１からの所定の確認用の応答の情報を受信できなかった場合、端末１やアプリ１５が起動状態ではない、または無線ＬＡＮ４のホットスポット内にいない、または接続４１が継続されていない、等と判断できる。プロジェクタ３は、ユーザＡの端末１とユーザＢの端末２とが近くにいる状況等が確認できないので、ユーザＡの端末１によるユーザＢの端末２の許可の終了とみなし、Ｓ１７で端末２との接続４２を解除する。
【００９１】
上記Ｓ１６でプロジェクタ３と端末１との間で確認の通信を行う際には、通信の障害の可能性もあるので、所定回数のリトライを許容するようにしてもよい。
【００９２】
［スリープ機能に応じた制御］
更に実施の形態１の変形例として、上記Ｓ１６の確認の方式に関連して、端末１の起動状態及びスリープ状態を考慮した制御を行う。端末１がスマートフォン等である場合、公知のスリープ機能を備える場合が多い。即ち、スリープ機能を持つ端末１は、通常状態で、所定時間以上ユーザによる入力操作等が無い場合、自動的に、低消費電力のモードであるスリープ状態へ遷移する。スリープ機能にもよるが、スリープ状態では、タッチパネル４４０の表示のオフ、無線部４１０の動作の休止等が行われる。端末１は、ユーザによる入力操作等に応じて、スリープ状態から通常状態へ復帰する。
【００９３】
端末１は、スリープ状態の時、無線ＬＡＮ４による外部のプロジェクタ３からの通信の情報を受信できない状態、あるいは受信してもその情報を処理しない状態、等になる可能性がある。この場合、端末１は、上記Ｓ１６のプロジェクタ３との確認の通信ができない可能性がある。
【００９４】
そこで、実施の形態１の変形例の通信システムでは、スリープ機能を備える端末１の場合に対応して以下のような制御を行う。端末１は、Ｓ１６のプロジェクタ３からの確認の要求の情報を受信する時点で、スリープ状態になっていないように、Ｓ１６よりも前の時点で、端末１をノン・スリープ状態へ遷移させる。ここでいうノン・スリープ状態とは、ユーザによる入力操作が無い状態が続いてもスリープ状態に遷移せずに、外部のプロジェクタ３との無線通信が可能な状態である。端末１のアプリ１５は、予め、例えばＳ１２のアプリ１５の起動や近接通信の後の時点に、端末１をノン・スリープ状態へ遷移させ、Ｓ１１の接続４１の状態を維持する。
【００９５】
これにより、端末１は、Ｓ１６でのプロジェクタ３からの確認の要求の情報を受信でき、応答を返信できる。その後、端末１は、プロジェクタ３との接続４１の解除、ユーザＢの端末２の許可の終了、またはアプリ１５の終了、等の契機によって、ノン・スリープ状態から通常状態へ戻る。
【００９６】
［設定機能］
端末１のアプリ１５またはプロジェクタ３のアプリ３５は、実施の形態１の機能に係わるユーザによる設定を可能とする設定機能を備える。例えばユーザＡは、この設定機能を用いた設定操作に応じて、実施の形態１の機能の制御内容に係わる設定が可能である。設定機能により、Ｓ１６の定期確認の実行の時間を設定できる。例えばアプリ１５の設定画面で、ユーザにより、定期確認の実行の時間間隔を、「５分」「１０分」等の所望の時間に設定可能である。また、Ｓ１６の第１の確認の方式や第２の確認の方式についても、設定機能を用いてユーザにより選択して適用可能としてもよい。
【００９７】
［効果等］
実施の形態１の通信システムによれば、会社ＡのユーザＡの端末１による許可に基づいて、外部の会社ＢのユーザＢの端末２による、会社Ａの無線ＬＡＮ４のプロジェクタ３への一時的な接続及び利用を可能とする機能を提供する。実施の形態１は、この機能による利便性と、その際のセキュリティの確保とを実現できる。
【００９８】
本実施の形態で、ユーザＡ及びユーザＢは、簡単な操作や設定で上記機能を利用できる。実施の形態１では、ユーザＡは、端末１のアプリ１５を起動して端末２との近接通信を行う簡単な動作だけで、ユーザＢの端末２による接続及び利用を許可することができる。
【００９９】
また、本実施の形態は、ユーザＡの端末１とユーザＢの端末２とが近くにいる状況を条件とした許可に基づいて、ユーザＢの端末２による一時的なプロジェクタ３への接続及び利用を可能とする制御を行うことにより、通信システムにおけるセキュリティを確保する。特に実施の形態１では、Ｓ１６の定期確認で許可に関する確認がとれた場合には、ユーザＢの端末２による接続４２を継続し、確認がとれない場合には、接続４２を解除する。よって、会社ＢのユーザＢの端末２が単独で会社Ａの無線ＬＡＮ４の通信システムのプロジェクタ３に接続し利用できてしまうことが避けられる。
【０１００】
［実施の形態１の第１の変形例］
図６は、実施の形態１の第１の変形例の通信システムの構成における処理シーケンスを示す。前述の図５の実施の形態１の通信システムは、プロジェクタ３が主体としてＳ１６の確認を行う方式である。それに対し、図６に示す実施の形態１の第１の変形例の通信システムは、異なる構成として、ユーザＡの端末１が主体としてＳ１６の確認を行う方式である。
【０１０１】
図６で、Ｓ１１〜Ｓ１５のステップは、図５と同様である。Ｓ１６ａのステップでは、ユーザＡの端末１は、ユーザＢの端末２の許可に関する定期確認を自身で行う。Ｓ１６ａの確認は、例えば、前述と同様に、第１の確認の方式や第２の確認の方式を採用できる。第１の確認の方式の場合、端末１のアプリ１５は、Ｓ１４の端末２の接続４２の時点から、定期的なタイミングで、端末１の画面に、確認用の情報を表示する。ユーザＡは、画面で確認用の情報を見て、ユーザＢの端末２の許可に関する継続または終了に応じた選択の入力操作を行う。
【０１０２】
上記ユーザＡの入力が、許可の継続の場合、端末１は、何もせず、プロジェクタ３へは情報を送信しない。Ｓ１６ｂのステップに示すように、上記ユーザＡの入力が、許可の終了の場合、端末１は、プロジェクタ３へ、許可の終了の旨の情報を送信する。プロジェクタ３は、端末１から、Ｓ１６ｂによる許可の終了の旨の情報を受信した場合、端末２との接続４２を解除する。プロジェクタ３は、端末１から、許可の終了の旨の情報を受信しない限り、端末２の接続４２を継続させる。
【０１０３】
あるいは、上記ユーザＡの入力が、許可の継続の場合、端末１は、プロジェクタ３へ、許可の継続の旨の情報を送信するようにし、プロジェクタ３は、所定時間以上許可の継続の旨の情報を受信できなかった場合に、端末２との接続４２を解除するようにしてもよい。
【０１０４】
［実施の形態１の第２の変形例］
図７は、実施の形態１の第２の変形例の通信システムの構成を示す。図７に示す、実施の形態１の第２の変形例の通信システムでは、プロジェクタ３は、１台の装置ではなく、２台の装置により構成される。実施の形態１のプロジェクタ３は、第２の変形例では、表示機能３１を持つプロジェクタ装置３Ａと、無線ＬＡＮ４のアクセスポイント機能３１を持つアクセスポイント装置３Ｂとの２台の装置として分離されて構成され、これら２台の装置が通信で連携する。
【０１０５】
プロジェクタ装置３Ａとアクセスポイント装置３Ｂとは、所定の通信の方式で、接続４４が行われ、接続４４を通じて、連携のための通信を行う。例えば、プロジェクタ装置３Ａ及びアクセスポイント装置３Ｂは、図３と同様に有線ＬＡＮインタフェース部３３０を備え、有線ＬＡＮによる接続４４を通じた通信処理を行う。アクセスポイント装置３Ｂまたはプロジェクタ装置３Ａには、前述のアプリ３５が具備されてもよい。
【０１０６】
プロジェクタ装置３Ａは、表示機能３１を提供し、アクセスポイント装置３Ｂは、無線ＬＡＮ４のアクセスポイント機能３１や、ルータ機能を提供する。
【０１０７】
ユーザＡの端末１は、アクセスポイント装置３Ｂとの接続４１を通じて、プロジェクタ装置３Ａの表示機能３１を利用する。ユーザＢの端末２は、前述と同様に、ユーザＡの端末１による許可に基づいて、アクセスポイント装置３Ｂとの接続４２を通じて、プロジェクタ装置３Ａの表示機能３１を利用する。
【０１０８】
（実施の形態２）
図８を用いて、実施の形態２の通信システム等について説明する。実施の形態２の通信システムは、図８のように、プロジェクタ３に、接続及び利用に関する許可を与える端末の情報を登録する許可リスト５２を設ける。プロジェクタ３は、許可リスト５２の情報に基づいて、ユーザＢの端末２の接続及び利用を判断及び制御する。
【０１０９】
［リスト］
実施の形態２の通信システムにおいて、図８のように、プロジェクタ３は、リスト５１、及び許可リスト５２を保持する。アクセスポイント機能３２は、リスト５１を管理する。アクセスポイント機能３２またはアプリ３５は、許可リスト５２を管理する。
【０１１０】
リスト５１は、第１のリストとして、無線ＬＡＮ４における常時接続が許可されるユーザの端末のＭＡＣアドレス等の情報が登録される。本実施の形態の例では、リスト５１には、会社Ａ内のユーザＡの端末１のＭＡＣアドレスを含む各社員等の端末のＭＡＣアドレスを含む情報が予め登録されている。なおユーザＡの端末１のＭＡＣアドレスをＭａ、ユーザＢの端末２のＭＡＣアドレスをＭｂとする。
【０１１１】
許可リスト５２は、第２のリストとして、実施の形態２での特有の制御のために設けたリストである。許可リスト５２は、ユーザＡの端末１による許可に基づいて、一時的に無線ＬＡＮ４のプロジェクタ３への接続及び利用が許可されるユーザの端末の情報が登録される。本実施の形態の例では、許可リスト５２には、会社ＢのユーザＢの端末２のＭＡＣアドレスを含む情報が登録される。
【０１１２】
実施の形態２で、端末１は、アプリ１５を備える。プロジェクタ３は、アプリ３５を備えてもよいし、備えなくてもよい。アプリ１５及びアプリ３５は、実施の形態毎に異なる特有の処理を行う。
【０１１３】
［処理シーケンス］
図８は、実施の形態２の通信システムにおける構成及び処理シーケンスを示す。Ｓ２１等はステップを示す。Ｓ２１〜Ｓ２３までは実施の形態１のＳ１１〜Ｓ１３と同様である。
【０１１４】
（Ｓ２１）  Ｓ２１で、ユーザＡの端末１とプロジェクタ３とがＷｉ−Ｆｉでの接続４１を行う。この接続４１の際の接続情報は、ＳＳＩＤ及びＰＷで示すパスワードを含む。このとき、端末１はＭＡＣアドレスであるＭａを送信し、プロジェクタ３は、受信したＭａの情報がリスト５１に登録されているかの確認を行う。プロジェクタ３は、登録されていない端末の場合は、接続を許可しない。
【０１１５】
（Ｓ２２）  Ｓ２２で、ユーザＡは、端末１のアプリ１５を起動した状態で、端末１とユーザＢの端末２とのＮＦＣによる接続４３を行う。この近接通信は、ユーザＡの端末１によるユーザＢの端末２のプロジェクタ３への接続及び利用の許可に相当する。
【０１１６】
（Ｓ２３）  Ｓ２３で、端末１は、接続４３の状態で、端末２へ、ＳＳＩＤ及びパスワードを含む接続情報を送信する。端末２は、接続情報を受信し、メモリに保持する。
【０１１７】
（Ｓ２４）  また、Ｓ２４で、端末１は、接続４３を通じて、端末２から、端末２のＭＡＣアドレスであるＭｂの情報を取得する。端末１は、Ｍｂの情報をメモリに保持する。
【０１１８】
（Ｓ２５−１）  Ｓ２５−１で、端末１は、プロジェクタ３と接続４１を通じて、端末２のＭＡＣアドレスであるＭｂを含む情報を送信する。
【０１１９】
（Ｓ２５−２）  Ｓ２５−２で、プロジェクタ３は、端末１から受信した端末２のＭＡＣアドレスであるＭｂを含む情報を、許可リスト５２に追加するように登録する。このＭＡＣアドレスが登録された状態は、端末２とプロジェクタ３との接続４２を許可する制御の状態に相当する。ここで、プロジェクタ３は、リスト５１に登録されている端末が送信したＭＡＣアドレスのみを許可リスト５２に登録するようにする。
【０１２０】
（Ｓ２６）  Ｓ２６で、端末２は、Ｓ２３の接続情報であるＳＳＩＤ及びパスワードを用いて、プロジェクタ３とのＷｉ−Ｆｉでの接続４２を行う。Ｓ２６の際、プロジェクタ３は、許可リスト５２の情報を参照し、接続の対象の端末のＭＡＣアドレスが登録されているか否かを確認する。ここでは、許可リスト５２には、Ｓ２５−２の時に端末２のＭＡＣアドレスであるＭｂが登録済みである。よって、プロジェクタ３は、Ｓ２６の端末２の接続４２を許容する。プロジェクタ３は、許可リスト５２にＭＡＣアドレスが登録されていない端末の場合は、接続４２を許容しない。
【０１２１】
（Ｓ２７）  Ｓ２７で、端末２は、接続４２を介して、プロジェクタ３の表示機能３１を利用する。
【０１２２】
（Ｓ２８−１）  Ｓ２８−１で、ユーザＡは、ユーザＢの端末２のプロジェクタ３への接続及び利用に関する許可の継続や終了に関する確認を行う。ユーザＡは、許可の継続の場合はそのままとする。Ｓ２８−１で、ユーザＡは、許可を終了する場合、即ち接続４２を解除させる場合、端末１のアプリ１５による画面で、ユーザＢの端末２の許可の終了、即ち接続４２の解除、に対応した入力操作を行う。
【０１２３】
（Ｓ２８−２）  Ｓ２８−２で、端末１のアプリ１５は、Ｓ２８−１の許可終了の入力操作に基づいて、接続４１を通じて、プロジェクタ３へ、ユーザＢの端末２の許可の終了を表す情報を送信する。
【０１２４】
（Ｓ２８−３）  Ｓ２８−３で、プロジェクタ３は、端末１からユーザＢの端末２の許可の終了を表す情報を受信すると、許可リスト５２から、該当する端末２のＭＡＣアドレスであるＭｂの情報を削除する。このＭＡＣアドレスが登録削除された状態は、端末２とプロジェクタ３との接続４２を許可しない制御の状態に相当する。
【０１２５】
（Ｓ２９）  Ｓ２９で、プロジェクタ３は、Ｓ２８−３の許可リスト５２の端末２のＭＡＣアドレスの登録削除に伴い、端末２との接続４２を解除する。これにより、ユーザＢの端末２は、プロジェクタ３との接続４２、及び表示機能３１の利用ができない状態となる。
【０１２６】
上記のように、実施の形態２では、ユーザＡの端末１を通じてユーザＢの端末２から得たＭＡＣアドレスの確認に応じて、ユーザＢの端末２の接続及び利用を制御する。
【０１２７】
［電源オフに応じた解除］
実施の形態２の変形例として、上記許可リスト５２の情報の登録、削除及び確認によるユーザＢの端末２の接続４２の解除の処理に関して、以下のような方式も適用可能である。即ち、プロジェクタ３は、ユーザＡ等の操作による電源のオフに伴う起動終了処理の際に、許可リスト５２に登録されている端末２のＭＡＣアドレスの情報を削除する。あるいは、プロジェクタ３は、電源オフ時に許可リスト５２を初期化し全情報を削除する。その後、プロジェクタ３は、電源オン以降で、許可リスト５２にＭＡＣアドレスが登録されていない端末２の接続４２を許容しない。
【０１２８】
実施の形態２の変形例として、以下のような確認及び解除の方式も適用可能である。即ち、この方式では、Ｓ２８−１〜Ｓ２８−３等に示すステップの代わりに、実施の形態１のＳ１６と同様に、プロジェクタ３から端末１への定期確認を行う。プロジェクタ３は、定期確認の結果に従い、許可の終了の場合は、許可リスト５２の端末２のＭＡＣアドレスの情報を削除し、端末２との接続４２を解除する。
【０１２９】
実施の形態２の変形例として、プロジェクタ３は、リスト５１及び許可リスト５２を１つに統合したリストを保持してもよい。即ち、このリストは、常時接続が許可されるユーザＡの端末１等のＭＡＣアドレスと、一時的に接続が許可されるユーザＢの端末２等のＭＡＣアドレスとを含む、接続が許可される端末に関する情報が登録及び管理される。
【０１３０】
［実施の形態２の変形例］
図９は、実施の形態２の変形例の通信システムにおける構成及び処理シーケンスを示す。この変形例の通信システムでは、プロジェクタ３側ではなく、ユーザＡの端末１側に、許可リスト５２を保持する。アプリ１５は、許可リスト５２を管理する。プロジェクタ３は、リスト５１を保持する。図９のＳ２１〜Ｓ２４は、図８のＳ２１〜Ｓ２４と同様である。
【０１３１】
図９のＳ２５で、端末１のアプリ１５は、許可リスト５２に、許可の対象である端末２のＭＡＣアドレスであるＭｂの情報を登録する。Ｓ２６で、端末２は、プロジェクタ３と接続４２を行う。Ｓ２７で、端末２は、接続４２を介して、プロジェクタ３の表示機能３１を利用する。
【０１３２】
Ｓ２８−１で、ユーザＡは、ユーザＢの端末２のプロジェクタ３への接続及び利用の許可を終了する場合、端末１のアプリ１５の画面で、許可の終了の入力操作を行う。Ｓ２８−２で、端末１のアプリ１５は、Ｓ２８−１の操作に従い、許可リスト５２から、許可の終了の対象である端末２のＭＡＣアドレスであるＭｂの情報を削除する。
【０１３３】
一方、プロジェクタ３は、端末１に対して、ユーザＢの端末２の接続及び利用に関する許可の継続や終了に関する定期確認を行う。Ｓ２９−１で、プロジェクタ３は、接続４１を通じて、端末１へ、定期確認の情報を送信する。端末１は、許可リスト５２の状態に応じて、プロジェクタ３へ定期確認の応答の情報を送信する。Ｓ２９−１で、例えば、プロジェクタ３は、端末１の許可リスト５２の情報を参照し、許可リスト５２に端末２のＭＡＣアドレスが登録されているか否かを確認する。プロジェクタ３は、許可リスト５２に端末２のＭＡＣアドレスが登録されている場合、端末２との接続４２を継続し、登録されていない場合、端末２との接続４２を解除する。
【０１３４】
Ｓ２９−１の定期確認の通信は、実施の形態１のＳ１６と同様に、一定時間間隔で行う。なおＳ２９−１の最初の定期確認の通信は、Ｓ２６の接続４２の確立の時点とする。またこのとき、前述のように、端末１においてスリープ機能に応じた制御を行ってもよい。
【０１３５】
上記Ｓ２９−１の定期確認は、端末１からプロジェクタ３へ許可リスト５２の内容の情報をプッシュ形式で通知することにより確認する形態でもよい。例えば、端末１は、Ｓ２８−２の許可リスト５２の端末２のＭＡＣアドレスの情報の削除の直後、プロジェクタ３へ、端末２の接続及び利用の許可の終了、即ち接続４２の解除、を指示してもよい。プロジェクタ３は、当該指示に従い、端末２との接続４２を解除する。
【０１３６】
（実施の形態３）
図１０を用いて、実施の形態３の通信システム等について説明する。実施の形態３では、ユーザＢの端末２の接続及び利用の許可に関する制御用にワンタイムパスワードを発行する。このワンタイムパスワードは、実施の形態３での特有の制御のために用意された情報であり、前述のＳＳＩＤに伴うパスワードとは別の情報である。
【０１３７】
［処理シーケンス］
図１０は、実施の形態３の通信システムの構成及び処理シーケンスを示す。Ｓ３１等はステップを示す。
【０１３８】
（Ｓ３１）  Ｓ３１で、ユーザＡの端末１は、前述と同様に、プロジェクタ３とのＷｉ−Ｆｉによる接続４１を行い、接続情報であるＳＳＩＤ及びＰＷで示すパスワードを保持する。
【０１３９】
（Ｓ３２）  Ｓ３２で、ユーザＡは、ユーザＢの端末２のプロジェクタ３への接続及び利用を許可する場合、端末１から、プロジェクタ３に対し、許可のためのワンタイムパスワードの発行を依頼する。ワンタイムパスワードをＯＴＰＷで示す。Ｓ３２で、例えば、ユーザＡは、端末１のアプリ１５の画面で、許可の入力操作を行い、これにより、端末１のアプリ１５は、接続４１を通じて、ワンタイムパスワードの発行依頼の情報をプロジェクタ３へ送信する。
【０１４０】
（Ｓ３３）  Ｓ３３で、プロジェクタ３は、Ｓ３２の発行依頼の情報を受信すると、アプリ３５により、ワンタイムパスワードを発行し、接続４１を通じて、端末１へ送信する。端末１は、プロジェクタ３からのワンタイムパスワードを受信し、メモリに保持する。なおアクセスポイント機能３２によりワンタイムパスワードを発行する形態としてもよい。
【０１４１】
なお、プロジェクタ３に近接通信機能３４を備える形態の場合に、Ｓ３２の通信の際に、端末１は、プロジェクタ３との近接通信により、上記Ｓ３２のワンタイムパスワードの発行依頼の情報をプロジェクタ３へ送信し、Ｓ３３の通信の際に、端末１は、プロジェクタ３との近接通信により、上記ワンタイムパスワードをプロジェクタ３より受信してもよい。
【０１４２】
（Ｓ３４）  Ｓ３４で、端末１は、端末２とのＮＦＣによる接続４３を行う。
【０１４３】
（Ｓ３５）  Ｓ３５で、端末１は、接続４３を通じて、端末２へ、前述のＳ３１の際のＳＳＩＤ及びＳ３３で得たＯＴＰＷで示すワンタイムパスワードの接続情報を送信する。端末２は、受信したＳＳＩＤ及びワンタイムパスワードの接続情報をメモリに保持する。
【０１４４】
（Ｓ３６）  Ｓ３６で、端末２は、Ｓ３５で得た接続情報のＳＳＩＤ及びワンタイムパスワードを用いて、プロジェクタ３とのＷｉ−Ｆｉによる接続４２を行う。Ｓ３６の際、端末２は、プロジェクタ３へ、ワンタイムパスワードを送信する。プロジェクタ３のアプリ３５は、端末２から受信したワンタイムパスワードを、Ｓ３３で発行したワンタイムパスワードと一致するかどうか確認する。プロジェクタ３のアプリ３５は、ワンタイムパスワードが一致する場合、端末２との接続４２を許容し、一致しない場合、端末２との接続４２を許容しない。
【０１４５】
（Ｓ３７）  Ｓ３７で、端末２は、接続４２を通じて、プロジェクタ３の表示機能３１を利用する。
【０１４６】
（Ｓ３８）  Ｓ３８で、ユーザＡは、ユーザＢの端末２のプロジェクタ３への接続及び利用に関する許可の継続または終了を確認し、端末１は、許可の継続または終了の旨の情報をプロジェクタ３へ送信する。例えば、ユーザＡは、許可を終了する場合、前述と同様に、端末１のアプリ１５の画面で、許可の終了の入力操作を行う。これにより、端末１のアプリ１５は、プロジェクタ３へ、許可の終了の旨の情報を送信する。
【０１４７】
（Ｓ３９）  Ｓ３９で、プロジェクタ３は、Ｓ３８の端末１からの許可の継続または終了の確認や指示の情報に応じて、端末２との接続４２を継続または解除する。
【０１４８】
また例えば、プロジェクタ３は、端末１からの許可の継続の旨の情報に応じて、発行済みのワンタイムパスワードの有効の状態を継続し、許可の終了の旨の情報に応じて、発行済みのワンタイムパスワードを無効の状態にしてもよい。
【０１４９】
また例えば、プロジェクタ３は、端末１からの許可の継続の旨の情報に応じて、更新処理として、新規のワンタイムパスワードを発行してもよいし、許可の終了の旨の情報に応じて、発行済みのワンタイムパスワードを破棄してもよい。
【０１５０】
上記Ｓ３８，Ｓ３９の処理は、前述と同様に、プロジェクタ３から端末１に対して定期確認を行う形態でもよい。
【０１５１】
上記のように、実施の形態３では、ユーザＡの端末１を通じてユーザＢの端末２へ与えられたワンタイムパスワードの確認に応じて、ユーザＢの端末２の接続及び利用を制御する。
【０１５２】
その後、プロジェクタ３または端末１は、上記発行済みのワンタイムパスワードについては、プロジェクタ３の電源オフ、あるいは所定時間経過、等の契機により、破棄や無効化を行う。
【０１５３】
（実施の形態４）
図１１を用いて、実施の形態４の通信システム等について説明する。実施の形態４は、実施の形態２と同様に、プロジェクタ３の許可リスト５２に端末２のＭＡＣアドレスの情報を登録して制御を行う。実施の形態４では、プロジェクタ３の近接通信機能３４を用いて、ユーザＢの端末２との近接通信を行う。実施の形態４のプロジェクタ３は、前述の近接通信機能４３を備える。
【０１５４】
［処理シーケンス］
図１１は、実施の形態４の通信システムにおける構成及び処理シーケンスを示す。Ｓ４１等はステップを示す。
【０１５５】
（Ｓ４１）  Ｓ４１で、端末１とプロジェクタ３とは、Ｗｉ−Ｆｉによる接続４１を行う。
【０１５６】
（Ｓ４２）  Ｓ４２で、ユーザＡは、ユーザＢの端末２のプロジェクタ３への接続及び利用に関する許可をする場合、ユーザＢの端末２をプロジェクタ３と近接通信させる。図１１で、４５は、端末２の近接通信機能２２とプロジェクタ３の近接通信機能３４との間でのＮＦＣによる近接通信による接続を示す。例えば、ユーザＢは、端末２の近接通信機能２２のインタフェース部を、プロジェクタ３の近接通信機能３４のインタフェース部に近付ける。これによりＮＦＣによる接続４５が行われる。
【０１５７】
（Ｓ４３）  Ｓ４３で、プロジェクタ３は、Ｓ４２の接続４５の状態で、端末２から、端末２のＭＡＣアドレスであるＭｂの情報を取得する。
【０１５８】
（Ｓ４４）  Ｓ４４で、プロジェクタ３のアクセスポイント機能３２またはアプリ３５は、Ｓ４２の接続４５の状態で、端末２へ、無線ＬＡＮ４の接続用のＳＳＩＤ及びＰＷで示すパスワードを含む接続情報を送信する。端末２は、この接続情報を受信してメモリに保持する。なおＳ４４の際、プロジェクタ３から端末１へ通信して、端末２へ接続情報を送信してもよいかどうか確認してもよい。
【０１５９】
（Ｓ４５）  Ｓ４５で、プロジェクタ３は、Ｓ４３で取得した端末２のＭＡＣアドレスであるＭｂを含む情報を、許可リスト５２に登録する。なおプロジェクタ３は、前述と同様に、リスト５１と許可リスト５２とを保持している。
【０１６０】
（Ｓ４６）  Ｓ４６で、端末２は、Ｓ４３のＳＳＩＤ及びＰＷを含む接続情報を用いて、プロジェクタ３とのＷｉ−Ｆｉによる接続４２を行う。
【０１６１】
（Ｓ４７）  Ｓ４７で、端末２は、接続４２を通じて、プロジェクタ３の表示機能３１を利用する。
【０１６２】
（Ｓ４８−１）  Ｓ４８−１で、ユーザＡは、ユーザＢの端末２のプロジェクタ３への接続及び利用に関する許可を終了する場合、例えば、前述と同様に、端末１のアプリ１５の画面で、許可の終了の入力操作を行う。これにより、端末１のアプリ１５から、プロジェクタ３へ、許可の終了の旨の情報を送信する。
【０１６３】
（Ｓ４８−２）  Ｓ４８−２で、プロジェクタ３は、端末１から許可の終了の情報に従い、許可リスト５２から、端末２のＭＡＣアドレスであるＭｂを含む情報を削除する。
【０１６４】
（Ｓ４９）  Ｓ４９で、プロジェクタ３は、Ｓ４７−２の許可リスト５２の端末２のＭＡＣアドレスの削除の状態に応じて、端末２との接続４２を解除する。これにより、その後、ユーザＢの端末２は、プロジェクタ３への接続及び利用ができない状態となる。
【０１６５】
上記Ｓ４８−１，Ｓ４８−２における確認の処理は、前述と同様に、プロジェクタ３から端末１への定期確認としてもよい。またこのとき、前述のように、端末１においてスリープ機能に応じた制御を行ってもよい。
【０１６６】
その後、プロジェクタ３は、前述と同様に、電源オフ時等に、許可リスト５２に登録されている端末２のＭＡＣアドレスの情報を削除するようにしてもよい。
【０１６７】
なお、実施の形態４では、端末１と端末２との間での近接通信は行われないが、実施の形態４の変形例として、端末１と端末２との間での近接通信により制御用の所定の情報を授受するようにしてもよい。
【０１６８】
（実施の形態５）
図１２を用いて、実施の形態５の通信システム等について説明する。実施の形態５は、実施の形態３と共通する構成として、制御用にワンタイムパスワードを用いる構成を含み、実施の形態４と共通する構成として、ユーザＢの端末２とプロジェクタ３とで近接通信を行う構成を含む。
【０１６９】
［処理シーケンス］
図１２は、実施の形態５の通信システムにおける構成及び処理シーケンスを示す。Ｓ５１等はステップを示す。
【０１７０】
（Ｓ５１）  Ｓ５１で、端末１は、プロジェクタ３とＷｉ−Ｆｉによる接続４１を行う。
【０１７１】
（Ｓ５２）  Ｓ５２で、ユーザＢの端末２をプロジェクタ３と近接通信させる。ユーザＢの端末２は、プロジェクタ３と、ＮＦＣによる接続４５を行う。
【０１７２】
（Ｓ５３）  Ｓ５３で、端末２は、Ｓ５２の接続４５の状態で、プロジェクタ３へ、無線ＬＡＮ４の接続の許可に係わるＯＴＰＷで示すワンタイムパスワードの発行依頼の情報を送信する。
【０１７３】
（Ｓ５４）  Ｓ５４で、プロジェクタ３のアプリ３５は、Ｓ５３の発行依頼に応じて、ワンタイムパスワードを発行する。
【０１７４】
プロジェクタ３のアクセスポイント機能３２は、接続４５を通じて、端末２へ、無線ＬＡＮ４の接続用のＳＳＩＤ及びワンタイムパスワードを含む接続情報を送信する。
【０１７５】
なお、このとき、プロジェクタ３から端末１へ通信して、端末２へワンタイムパスワードを含む接続情報を送信してもよいかどうか確認してもよい。
【０１７６】
（Ｓ５５）  Ｓ５５で、端末２は、上記ＳＳＩＤ及びワンタイムパスワードを含む接続情報を用いて、プロジェクタ３とのＷｉ−Ｆｉによる接続４２を行う。プロジェクタ３は、前述と同様にワンタイムパスワードの確認の上で接続４２を許容する。
【０１７７】
（Ｓ５６）  Ｓ５６で、端末２は、接続４２を通じて、プロジェクタ３の表示機能３１を利用する。
【０１７８】
（Ｓ５７）  Ｓ５７で、ユーザＡは、ユーザＢの端末２のプロジェクタ３への接続及び利用に関する許可の継続または終了を確認する。ユーザＡは、許可を終了する場合、例えば前述と同様に、端末１のアプリ１５の画面での許可の終了の入力操作を行う。これに応じて、端末１のアプリ１５からプロジェクタ３へ、許可の終了の旨の情報を送信する。
【０１７９】
（Ｓ５８）  Ｓ５８で、プロジェクタ３は、Ｓ５７の情報に従い、端末２との接続４２を継続または解除する。このとき、Ｓ５４にて発行したワンタイムパスワードは無効にする。
【０１８０】
上記Ｓ５７，Ｓ５８は、前述と同様に、プロジェクタ３から端末１へ定期確認を行う形態でもよい。またこのとき、前述のように、端末１においてスリープ機能に応じた制御を行ってもよい。
【０１８１】
（実施の形態６）
図１３を用いて、実施の形態６の通信システム等について説明する。前述の実施の形態１等における、端末１と端末２との近接通信、あるいは各通信端末装置とプロジェクタ３との近接通信については、ＮＦＣによる方式以外も適用可能である。実施の形態６は、端末１と端末２との近接通信の方式として、カメラによるバーコードの認識の方式を適用した形態である。
【０１８２】
実施の形態６では、端末２は、カメラを備え、近接通信機能２２として、カメラの制御の機能を備える。近接通信機能２２は、カメラを用いて撮像した情報を読み取る処理等を行う。端末２のカメラ及びその制御の機能は、既存のスマートフォン等に備えるカメラ及びその制御の機能を適用できる。
【０１８３】
［処理シーケンス］
図１３は、実施の形態６の通信システムにおける構成及び処理シーケンスを示す。Ｓ６１等はステップを示す。
【０１８４】
（Ｓ６１）  Ｓ６１で、端末１は、プロジェクタ３とＷｉ−Ｆｉによる接続４１を行う。
【０１８５】
（Ｓ６２）  Ｓ６２で、ユーザＡは、ユーザＢの端末２のプロジェクタ３への接続及び利用に関する許可をする場合、端末１のアプリ１５を用いて、接続情報を表示する操作を行う。端末１のアプリ１５は、Ｓ６１の接続４１による無線ＬＡＮ４のＳＳＩＤ及びパスワードを含む接続情報を、２次元バーコード等の形式のデータに変換し、端末１のアプリ１５の画面に表示する処理を行う。
【０１８６】
（Ｓ６３）  Ｓ６３で、端末１と端末２との近接通信として、ユーザＢは、端末２のカメラにより端末１のアプリ１５の画面のバーコードを認識する動作を行う。端末２は、カメラによる撮像の画像から、バーコードを読み取り、読み取ったバーコードから、変換により、ＳＳＩＤ及びパスワードを含む接続情報を取得する。端末２は、取得した接続情報をメモリに保持する。
【０１８７】
以降のステップは、前述の実施の形態と概略同様である。Ｓ６４で、端末２は、Ｓ６３の接続情報を用いて、プロジェクタ３とＷｉ−Ｆｉによる接続４２を行う。Ｓ６５で、端末２は、接続４２を介して、プロジェクタ３の表示機能３１を利用する。Ｓ６６で、端末１とプロジェクタ３との間で、前述と同様に所定の方式により、許可の継続または終了に関する確認を行う。確認に基づいて、Ｓ６７で、プロジェクタ３は、端末２との接続４２を継続または解除する。
【０１８８】
なお実施の形態６で、端末２は、上記カメラによる接続情報の読み取り等の処理を制御する機能を備えていない場合、その機能を備える専用のアプリを一時的にインストールしてもよい。
【０１８９】
［実施の形態６の変形例］
実施の形態６の変形例として、ユーザＢの端末２とプロジェクタ３との間でカメラを用いた近接通信を行う形態としてもよい。この変形例では、端末１のアプリ１５の画面に接続情報を表示するのではなく、プロジェクタ３による画面に、接続情報を表示する。プロジェクタ３は、アプリ３５の処理により接続情報をバーコード等の形式に変換し、スクリーン３１３の画面、あるいは操作パネル等の画面に表示する。
【０１９０】
端末２は、カメラを用いて、プロジェクタ３による画面に表示されたバーコードを、カメラで撮像して読み取ることにより、接続情報を取得する。以降のステップは、前述と同様である。端末２は、接続情報を用いてプロジェクタ３との接続４２を行い、表示機能３１を利用する。端末１とプロジェクタ３との間での許可の継続または終了の確認に応じて、プロジェクタ３は端末２との接続４２を継続または解除する。
【０１９１】
［効果等］
以上説明したように、各実施の形態の通信システムによれば、社内のユーザＡの端末１による許可に基づいて社外のユーザＢの端末２による無線ＬＡＮ４のプロジェクタ３への一時的な接続及び利用を可能とする機能を提供する。各実施の形態は、この機能による利便性と、その際のセキュリティの確保とを実現できる。
【０１９２】
本実施の形態の技術は、社内のユーザＡと社外のユーザＢとが近くにおり、ユーザＡがユーザＢの存在を把握しているという状況に対応させて、ユーザＡの端末１によるユーザＢの端末２のプロジェクタ３への接続及び利用に関する許可をする仕組みである。この状況に応じた許可及びその継続や終了の確認を含む仕組みにより、セキュリティが確保されている。また、この許可を含む制御は、設定等の作業の手間が少なく、アプリの操作や近接通信の動作等だけで簡単に利用可能である。
【０１９３】
以上、本発明を実施の形態に基づき具体的に説明したが、本発明は前記実施の形態に限定されず、その要旨を逸脱しない範囲で種々変更可能である。他の実施の形態として、前述した各実施の形態の機能や要素を組み合わせて構成した形態や、実施の形態の機能や要素の一部を省略した形態が可能である。
【０１９４】
他の実施の形態の通信システムとして、前述の例えば図８のＳ２８−１のように、ユーザＡの端末１における許可の継続や終了の入力操作を行う際、端末１側のアプリ１５の画面ではなく、プロジェクタ３側の画面に、確認用の情報を表示してもよい。例えば、プロジェクタ３は、アプリ３５の処理により、スクリーン３１３の画面に、ユーザＢの端末２の接続及び利用に関する許可を継続するか終了するかの確認に関する情報を表示する。この情報は、例えば「はい／いいえ」や「継続／終了」等の選択肢が表示される。
【０１９５】
ユーザＡは、プロジェクタ３の画面に表示された確認用の情報を見て、プロジェクタ３に対し、指示の情報を入力する。例えば、端末１は、アプリ１５により、プロジェクタ３のリモコンに相当する機能を持つ装置として使用されてもよい。ユーザＡは、端末１のアプリ１５の画面から、指示の入力を行う。これにより、端末１からプロジェクタ３へ、接続４１を通じて、指示の情報を送信する。プロジェクタ３は、端末１からの指示の情報を受信し、指示に応じて、接続の継続または解除等の処理を行う。
【０１９６】
他の実施の形態の通信システムとして、前述した複数の実施の形態による複数の機能や方式を併せ持つように実装し、設定機能を用いてユーザにより利用する機能や方式を選択可能としてもよい。例えば、ユーザＡは、端末１のアプリ１５またはプロジェクタ３のアプリ３５による設定機能を用いて、設定画面に選択肢として表示される複数の方式の中から、実施の形態１の方式を選択して設定する。この設定の状態により、実施の形態１の図５のような制御が適用される。
【０１９７】
各実施の形態において、端末１に専用のアプリ１５を備えるだけでなく、端末２にも特有の制御のための専用のアプリを備えてもよい。その場合、端末１のアプリ１５と、端末２のアプリとで連携して処理を行う。
【産業上の利用可能性】
【０１９８】
本発明は、表示装置、無線ＬＡＮ、打ち合わせや会議等を支援するシステム、等に利用可能である。
【符号の説明】
【０１９９】
１…端末、２…端末、３…プロジェクタ、４…無線ＬＡＮ、５…通信網、１１，２１…接続機能、１２，２２，３４…近接通信機能、１５…アプリ、３１…表示機能、３２…アクセスポイント機能、３３…ルータ機能、３５…アプリ、４１，４２，４３，４４，４５…接続。
【図１】
2018102012.tif 000003
【図２】
2018102012.tif 000004
【図３】
2018102012.tif 000005
【図４】
2018102012.tif 000006
【図５】
2018102012.tif 000007
【図６】
2018102012.tif 000008
【図７】
2018102012.tif 000009
【図８】
2018102012.tif 000010
【図９】
2018102012.tif 000011
【図１０】
2018102012.tif 000012
【図１１】
2018102012.tif 000013
【図１２】
2018102012.tif 000014
【図１３】
2018102012.tif 000015